(57)【特許請求の範囲】
【請求項１】
所定の材料を切削することで補綴物を作製する補綴物作製装置において、前記所定の材料を切削するための切削データを作成する補綴物切削データ作成装置であって、
前記切削データは、ユーザが設定する設定項目に基づいて作成されるものであり、
前記設定項目は、
作製する前記補綴物のＳＴＬデータを設定するＳＴＬデータ設定項目と、
前記補綴物を作製する材料の種類を設定する材料設定項目と、
前記材料のサイズを設定するサイズ設定項目と、
を少なくとも有し、
前記設定項目を表示する表示装置と、
ユーザが操作することで、前記設定項目の各設定値が入力される入力装置と、
前記切削データの作成を支援する作成支援装置と、
を備え、
前記作成支援装置は、
前記補綴物のＳＴＬデータを記憶する記憶部と、
前記設定項目の前記材料設定項目、および、前記サイズ設定項目のうち少なくとも一方の設定値が登録されたコマンドが複数並べられたコマンドリストを作成するコマンド作成部と、
前記コマンドリストを前記表示装置に表示する表示部と、
を備え、
前記コマンドリストの前記コマンドに登録された前記設定項目の設定値は、ユーザによって予め設定された値であり、
前記入力装置は、前記表示装置に表示された前記コマンドリストの前記複数のコマンドのうち１つのコマンドをユーザによって選択可能に構成され、
前記表示部は、前記入力装置によって選択された前記１つのコマンドの前記設定項目の各設定値を前記表示装置に表示し、
前記入力装置は、前記表示装置に表示された前記コマンドの前記設定項目のうち設定値が登録されていない前記設定項目の設定値を入力可能に構成され、
前記作成支援装置は、
前記表示装置に表示された前記設定項目の各設定値を受信する受信部と、
前記受信部によって受信された前記設定項目の前記設定値に基づいて前記切削データを作成する切削データ作成部と、
を備えた、補綴物切削データ作成装置。
【請求項２】
前記設定項目は、前記補綴物の種類を設定する補綴物設定項目を有する、請求項１に記載された補綴物切削データ作成装置。
【請求項３】
前記設定項目は、前記補綴物を加工するための切削条件を示した切削ストラテジーの種類を設定する切削ストラテジー設定項目を有し、
前記コマンド作成部は、前記切削ストラテジー設定項目の設定値が登録されたコマンドを作成する、請求項１または２に記載された補綴物切削データ作成装置。
【請求項４】
前記設定項目は、前記切削データを保存するファイル名を設定するファイル名設定項目を有する、請求項１から３までの何れか一つに記載された補綴物切削データ作成装置。
【請求項５】
前記作成支援装置は、
前記受信部によって受信された前記ＳＴＬデータ設定項目において設定された前記ＳＴＬデータが示す前記補綴物が、前記受信部によって受信された前記サイズ設定項目において設定されたサイズに収まるか否かを判定する判定部と、
前記判定部によって前記ＳＴＬデータが示す前記補綴物が、前記サイズに収まらないと判定された場合、前記表示装置にエラーメッセージを表示するエラー表示部と、
を備えた、請求項１から４までの何れか一つに記載された補綴物切削データ作成装置。
【請求項６】
前記補綴物作製装置と、
請求項１から５までの何れか一つに記載された補綴物切削データ作成装置と、
を備えた、補綴物作製システム。
【請求項７】
前記補綴物作製装置は、前記補綴物を作成するワーク領域を複数備えており、
前記設定項目は、作製する前記補綴物を、複数の前記ワーク領域のうちどの前記ワーク領域に作製するかを設定するワーク領域設定項目を有し、
前記コマンド作成部は、前記ワーク領域設定項目において作製する前記ワーク領域が登録されたコマンドを作成する、請求項６に記載された補綴物作製システム。
【発明の詳細な説明】
【技術分野】
【０００１】
本発明は、補綴物切削データ作成装置および補綴物作製システムに関する。
【背景技術】
【０００２】
従来から、セラミックス材料または樹脂材料などを所望の形状に切削することによって、人工の補綴物を作製する補綴物作製装置が知られている。ここで、補綴物とは、歯の治療が行われた際に失った歯質を補う人工物、すなわち、治療後の歯に詰めるまたは被せる人工物のことをいう。
【０００３】
このような補綴物作製装置による補綴物の作製に先立って、コンピュータ支援設計装置（以下、「ＣＡＤ（Ｃｏｍｐｕｔｅｒ  Ａｉｄｅｄ  Ｄｅｓｉｇｎ）装置」ともいう。）などを使用して、作製する補綴物のＳＴＬデータが作成される。
【０００４】
このように作成した補綴物のＳＴＬデータを読み込み、補綴物作製装置が補綴物をどのような手順で作製するかを示した切削データを作成する補綴物切削データ作成装置（以下、「切削データ作成装置」ともいう。）が知られている。ここでは、切削データ作成装置は、所謂、コンピュータ支援製造装置（以下、「ＣＡＭ（Ｃｏｍｐｕｔｅｒ  Ａｉｄｅｄ  Ｍａｎｕｆａｃｔｕｒｉｎｇ）装置」ともいう。）のことである。
【０００５】
例えば、補綴物切削データ作成装置は、切削に必要な設定項目であって、ユーザが設定する設定項目を表示する表示装置と、ユーザが操作することで設定項目を入力する入力装置とを備えている。例えば、切削に必要な設定項目としては、以下の項目（１）〜（７）が存在する。
（１）切削データを保存するファイル名を設定する項目（以下、「ファイル名設定項目」という。）
（２）作製する補綴物のＳＴＬデータを設定する項目（以下、「ＳＴＬデータ設定項目」という。）
（３）補綴物の種類を設定する項目（以下、「補綴物設定項目」という。）
（４）切削する材料の種類を設定する項目（以下、「材料設定項目」という。）
（５）切削する材料のサイズを設定する項目（以下、「サイズ設定項目」という。）
（６）補綴物作製装置における切削を行う領域のうち、どの領域で切削を行うかを設定する項目（以下、「ワーク領域設定項目」という。）
（７）作製する補綴物を加工するための切削条件を設定する項目（以下、「切削ストラテジー設定項目」という。）
【０００６】
切削データ作成装置は、上述した設定項目（１）〜（７）に基づいて、対象となる補綴物を作製する手順を示した切削データを作成する。そして、補綴物作製装置は、作成された切削データに従って、設定された材料を切削することで対象となる補綴物を作製する。
【発明の概要】
【発明が解決しようとする課題】
【０００７】
ところで、上述した設定項目（１）〜（７）は、ユーザが入力装置を操作することで設定される項目である。この設定項目（１）〜（７）の中には、作製する補綴物のＳＴＬデータによって、一意的に決定される項目が存在することがあり得る。例えば、作製する補綴物のＳＴＬデータが決定されると、材料の種類、および、材料のサイズが一意的に決定されることがあり得る。しかしながら、従来では、切削データ作成装置では、補綴物を作製する度に、ユーザが入力装置を操作することで設定項目（１）〜（７）を設定する必要があった。この場合、ユーザが毎回同じ設定値を設定する設定項目があり、煩わしいことがあった。また、補綴物を作製する度に、設定項目（１）〜（７）の全てをユーザが設定しなければならず、設定作業に時間を要することがあった。
【０００８】
本発明はかかる点に鑑みてなされたものであり、その目的は、切削データを作成するときに必要な設定項目をユーザが設定する際、ユーザによる設定作業に要する時間を短縮することが可能な補綴物切削データ作成装置、および、補綴物作製システムを提供することである。
【課題を解決するための手段】
【０００９】
本発明に係る補綴物切削データ作成装置は、所定の材料を切削することで補綴物を作製する補綴物作製装置において、前記所定の材料を切削するための切削データを作成する補綴物切削データ作成装置である。前記切削データは、ユーザが設定する設定項目に基づいて作成されるものであって、少なくとも作製する前記補綴物のＳＴＬデータを設定するＳＴＬデータ設定項目と、前記補綴物を作製する材料の種類を設定する材料設定項目と、前記材料のサイズを設定するサイズ設定項目とを有している。前記補綴物切削データ作成装置は、表示装置と、入力装置と、作成支援装置とを備えている。前記表示装置は、前記設定項目を表示する。前記入力装置は、ユーザによる前記設定項目に関する操作が入力される。前記作成支援装置は、前記切削データの作成を支援する。前記作成支援装置は、記憶部と、コマンド作成部と、表示部と、受信部と、切削データ作成部とを備えている。前記記憶部は、前記補綴物のＳＴＬデータを記憶する。前記コマンド作成部は、それぞれ前記材料設定項目において前記材料の種類を所定の種類に設定し、かつ、前記サイズ設定項目において前記材料のサイズを所定のサイズに設定する複数のコマンドを作成し、前記複数のコマンドが並べられたコマンドリストを作成する。前記表示部は、前記コマンドリストを前記表示装置に表示する。前記受信部は、前記入力装置によって入力された前記設定項目に関する設定値を受信する。前記切削データ作成部は、前記受信部によって受信された前記設定項目の前記設定値に基づいて前記切削データを作成する。前記入力装置は、ユーザによる前記コマンドリストの前記複数のコマンドのうち１つのコマンドを選択することに関する操作が入力される。前記受信部は、前記入力装置によって入力された前記コマンドを受信する。
【００１０】
上記補綴物切削データ作成装置によれば、コマンド作成部によって、材料設定項目において材料の種類が所定の種類に設定され、かつ、サイズ設定項目において材料のサイズを所定のサイズに設定されたコマンドが複数作成されている。そして、作成された複数のコマンドが並べられたコマンドリストが表示装置に表示されている。よって、ユーザが入力装置を操作してコマンドリストから１つのコマンドを選択することで、材料設定項目およびサイズ設定項目の各設定値が設定される。したがって、材料設定項目およびサイズ設定項目の各設定値を、ユーザが個々に設定する必要がないため、設定作業に要する時間を短縮することができる。材料設定項目およびサイズ設定項目の設定値が、作製する補綴物ごとに同じ値の場合、材料設定項目およびサイズ設定項目の各設定値を個々にユーザが設定しないため、煩わしさが緩和される。
【００１１】
本発明の好ましい一態様によれば、前記設定項目は、前記補綴物の種類を設定する補綴物設定項目を有する。
【００１２】
上記態様によれば、設定された補綴物の種類を考慮して、切削データを作成することができる。
【００１３】
本発明の好ましい他の一態様によれば、前記設定項目は、前記補綴物を加工するための切削条件を示した切削ストラテジーの種類を設定する切削ストラテジー設定項目を有している。前記コマンド作成部は、前記切削ストラテジー設定項目において前記切削ストラテジーを所定のストラテジーの種類に設定するコマンドを作成する。
【００１４】
上記態様によれば、コマンド作成部によって、材料設定項目において材料の種類が所定の種類に設定され、サイズ設定項目において材料のサイズを所定のサイズに設定され、かつ、切削ストラテジー設定項目において切削ストラテジーが所定の切削ストラテジーの種類に設定されたコマンドが作成される。よって、ユーザが入力装置を操作してコマンドリストから１つのコマンドを選択することで、材料設定項目、サイズ設定項目および切削ストラテジー設定項目の各設定値が設定される。したがって、材料設定項目、サイズ設定項目および切削ストラテジー設定項目の各設定値を、ユーザが個々に設定する必要がないため、設定作業に要する時間を短縮することができる。
【００１５】
本発明の好ましい他の一態様によれば、前記設定項目は、前記切削データを保存するファイル名を設定するファイル名設定項目を有する。
【００１６】
上記態様によれば、設定されたファイル名のファイルに切削データを保存することができる。
【００１７】
本発明の好ましい他の一態様によれば、前記作成支援装置は、判定部と、エラー表示部とを備えている。前記判定部は、前記受信部によって受信された前記ＳＴＬデータ設定項目において設定された前記ＳＴＬデータが示す前記補綴物が、前記受信部によって受信された前記サイズ設定項目において設定されたサイズに収まるか否かを判定する。前記エラー表示部は、前記判定部によって前記ＳＴＬデータが示す前記補綴物が、前記サイズに収まらないと判定された場合、前記表示装置にエラーメッセージを表示する。
【００１８】
上記態様によれば、ユーザは、表示装置に表示されたエラーメッセージを見ることで、ＳＴＬデータが示す補綴物が、設定した材料のサイズに収まらないことを確認することができる。
【００１９】
本発明に係る補綴物作製システムは、記補綴物作製装置と、上述した何れかに記載された補綴物切削データ作成装置と、を備えている。
【００２０】
上記補綴物作製システムによれば、上述した何れかに記載された補綴物切削データ作成装置を備えた補綴物作製システムを提供することができる。
【００２１】
本発明の好ましい他の一態様によれば、前記補綴物作製装置は、前記補綴物を作成するワーク領域を複数備えている。前記設定項目は、作製する前記補綴物を、複数の前記ワーク領域のうちどの前記ワーク領域に作製するかを設定するワーク領域設定項目を有している。前記コマンド作成部は、前記ワーク領域設定項目において作製する前記ワーク領域を所定の領域に設定するコマンドを作成する。
【００２２】
上記態様によれば、コマンド作成部によって、材料設定項目において材料の種類が所定の種類に設定され、サイズ設定項目において材料のサイズを所定のサイズに設定され、かつ、ワーク領域設定項目においてワーク領域を所定の領域に設定されたコマンドが作成される。よって、ユーザが入力装置を操作してコマンドを設定することで、材料設定項目、サイズ設定項目およびワーク領域設定項目の各設定値が設定される。したがって、材料設定項目、サイズ設定項目およびワーク領域設定項目の各設定値を、ユーザが個々に設定する必要がないため、設定作業に要する時間を短縮することができる。
【発明の効果】
【００２３】
本発明によれば、切削データを作成するときに必要な設定項目をユーザが設定する際、ユーザによる設定作業に要する時間を短縮することができる。
【図面の簡単な説明】
【００２４】
【図１】一実施形態に係る補綴物作製システムを示す概略図であり、補綴物作製装置を示す斜視図である。
【図２】補綴物作製装置の内部空間を示した概念図である。
【図３】切削データ作成装置を示したブロック図である。
【図４】表示装置を示す概念図である。
【図５】表示装置を示す概念図であり、画面を示す図である。
【図６】表示装置を示す概念図であり、設定ダイアログボックスを示す図である。
【図７】表示装置を示す概念図であり、コマンド作成ダイアログボックスを示す図である。
【図８】表示装置を示す概念図であり、コマンド設定ダイアログボックスを示す図である。
【発明を実施するための形態】
【００２５】
以下、図面を参照しながら、本発明の実施形態に係る補綴物切削データ作成装置を備えた補綴物作製システムについて説明する。なお、ここで説明される実施形態は、当然ながら特に本発明を限定することを意図したものではない。また、同じ作用を奏する部材・部位には同じ符号を付し、重複する説明は適宜省略または簡略化する。
【００２６】
図１は、補綴物作製システム１００を示す概略図であり、補綴物作製装置１を示す斜視図である。補綴物作製システム１００は、補綴物を作製するためのシステムである。補綴物作製システム１００は、補綴物作製装置１と、補綴物切削データ作成装置３０とを備えている。ここで、補綴物とは、歯の治療が行われた際に失った歯質を補う人工物、すなわち、治療後の歯に詰めるまたは被せる人工物のことをいう。例えば、補綴物は、セラミックス材料または樹脂材料などを切削することによって作製される。
【００２７】
次に、補綴物作製装置１について説明する。図１に示すように、相互に直交する軸を、Ｘ軸、Ｙ軸およびＺ軸とし、本実施形態に係る補綴物作製装置１はＸ軸とＹ軸とで構成される平面に置かれるものとする。以下、左方および右方とは、図１のフロントカバー７に向かって補綴物作製装置１を見た場合の左方および右方である。また、図１のフロントカバー７に向かって補綴物作製装置１を見た場合に、当該補綴物作製装置１に近付く方を後方、遠ざかる方を前方とする。同図中の左方をＬ、右方をＲとし、前方をＦ、後方をＲｅとし、上方をＵ、下方をＤとする。ただし、これらは説明の便宜上の方向に過ぎず、補綴物作製装置１の設置態様を何ら限定するものではない。
【００２８】
補綴物作製装置１は、材料を所望の形状に切削することによって補綴物を作製する装置である。ここでは、補綴物作製装置１は箱状に形成されている。詳しくは、補綴物作製装置１は、ケース１０と、フロントカバー７とを備えている。ケース１０は、ベース板２と、ベース板２の左端から上方に延びた左板３と、左板３と対向し、ベース板２の右端から上方に延びた右板４と、ベース板２の後端から上方に延びた後板６と、左板３の上端、右板４の上端および後板６の上端に接続された天板５とを有する。ケース１０の前方は開口されている。フロントカバー７は、ケース１０の前方に設けられている。フロントカバー７は、左板３の前端および右板４の前端において上下方向にスライド可能なようにケース１０に設けられている。ここでは、ケース１０およびフロントカバー７によって、内部空間８が形成されている。フロントカバー７が上方にスライドすることによって、内部空間８が外部空間と通ずる。また、フロントカバー７には、窓部７ａが設けられている。ユーザは、窓部７ａから内部空間８を視認することができる。
【００２９】
図２は、内部空間８を示した概念図である。図２に示すように、内部空間８は、補綴物の材料（図示せず）に対して切削加工が行われる加工エリアである。ここでは、刃などの加工ツール（図示せず）を使用して、内部空間８で切削が行われる。内部空間８には、補綴物を作製するためのワーク領域が３つ設けられている。ここでは、ワーク領域は、第１ワーク領域８ａと、第１ワーク領域８ａの前方に設けられた第２ワーク領域８ｂと、第２ワーク領域８ｂの前方に設けられた第３ワーク領域８ｃと有している。第２ワーク領域８ｂは、第１ワーク領域８ａと第３ワーク領域８ｃとの間に設けられている。ここでは、第１ワーク領域８ａの大きさ、第２ワーク領域８ｂの大きさ、および、第３ワーク領域８ｃの大きさは同じである。本実施形態では、補綴物作製装置１は、３つのワーク領域８ａ、８ｂ、８ｃを使用して、３つの補綴物を同時に作製することができる。ただし、補綴物作製装置１が同時に作製することが可能な補綴物の数は特に限定されない。例えば、補綴物作製装置１は、補綴物を１つのみ作製することが可能な装置であってもよいし、４つの補綴物を同時に作製することが可能な装置であってもよい。補綴物作製装置１は、同時に作製することが可能な補綴物の数のワーク領域を備えている。
【００３０】
補綴物作製装置１は、制御部２０を備えている。制御部２０は、材料の切削を制御する。詳しくは、制御部２０は、材料を固定する回転自在な治具（図示せず）、および、上記加工ツールなどを制御する。本実施形態では、制御部２０は、公知のパーソナルコンピュータ、または、汎用コンピュータなどに設けられるＣＰＵ（中央演算処理装置）によって実現可能である。
【００３１】
以上、補綴物作製装置１について説明した。本実施形態では、補綴物作製装置１による補綴物の作製に先立って、作製する補綴物のＳＴＬデータがＣＡＤ装置などによって作成される。補綴物作製装置１では、制御部２０が上記加工ツールを加工エリアのどの位置からどのような向きで動かし、材料をどのように切削するかの制御などを示した切削データが必要である。本実施形態では、ＣＡＭ装置の一例である切削データ作成装置（補綴物切削データ作成装置）３０が切削データを作成する。補綴物作製装置１は、切削データ作成装置３０によって作成された切削データに基づいて材料を切削することで、所望の補綴物を作製する。
【００３２】
次に、切削データ作成装置３０について説明する。切削データ作成装置３０は、補綴物作製装置１と別体である。しかし、切削データ作成装置３０は、補綴物作製装置１に内蔵されていてもよい。例えば、切削データ作成装置３０は、コンピュータであり、ＣＰＵと、ＣＰＵが実行するプログラムなどを格納したＲＯＭと、ＲＡＭなどを備えていてもよい。ここでは、コンピュータ内に保存されたプログラムを使用して、補綴物作製装置１で使用する切削データを作成する。切削データ作成装置３０は、補綴物作製システム１００のための専用のコンピュータであってもよく、汎用のコンピュータであってもよい。
【００３３】
補綴物作製装置１によって作製される補綴物の切削データを作成するには、上述したように、以下の設定項目（１）〜（７）を設定する必要がある。
（１）ファイル名設定項目
（２）ＳＴＬデータ設定項目
（３）補綴物設定項目
（４）材料設定項目
（５）サイズ設定項目
（６）ワーク領域設定項目
（７）切削ストラテジー設定項目
【００３４】
ここで、ファイル名設定項目とは、切削データ作成装置３０によって作成された切削データを保存するファイル名を設定する項目である。ＳＴＬデータ設定項目とは、作製する補綴物のＳＴＬデータを設定する項目である。上述したように、このＳＴＬデータは、例えば、ＣＡＤ装置などによって作成されたデータである。補綴物設定項目とは、補綴物の種類を設定する項目である。ここで、設定可能な補綴物の種類は特に限定されない。例えば、補綴物の種類には、クラウン、インレー、ブリッジなどがある。材料設定項目とは、切削する材料の種類を設定する項目である。ここで、材料の種類は特に限定されない。例えば、材料の種類として、グラスセラミック、ハイブリッドレジンなどが挙げられる。サイズ設定項目とは、切削する材料のサイズを設定する項目である。なお、材料のサイズは、対象となる補綴物が作製できる程度の大きさであることが好ましい。なお、材料の形状は、対象となる補綴物ごとに決定される。ワーク領域設定項目とは、補綴物作製装置１に複数のワーク領域が設けられている場合、どのワーク領域で補綴物を作製するかを設定する項目である。本実施形態では、補綴物作製装置１は、図２に示すように、３つのワーク領域８ａ、８ｂ、８ｃを備えている。そのため、ワーク領域設定項目では、３つのワーク領域８ａ、８ｂ、８ｃのうち、どのワーク領域で補綴物を作製するかを設定する。なお、補綴物作製装置１のワーク領域が１つの場合、補綴物のワーク領域は一意的に決定される。よって、この場合、ワーク領域設定項目の設定を省略することができる。切削ストラテジー設定項目とは、どの切削ストラテジーを設定するかを決定する項目である。ここで、切削ストラテジーとは、作製する補綴物を加工するための切削条件を示したものである。この切削ストラテジーは、例えば、補綴物作製装置１の機種ごとに異なるものである。
【００３５】
切削データは、補綴物を作製しようとする度に作成されるデータである。切削データの作成に先立って、上述した各設定項目はユーザによって設定される項目である。よって、補綴物を作製しようとする度に、ユーザは各設定項目を設定する。各設定項目には、作製しようとする補綴物によって、その設定値が一意的に決定される項目があり得る。また、ユーザによっては、各設定項目のうち、毎回同じ設定値を設定する項目があり得る。例えば、補綴物の種類が決定されると、材料のサイズが一意的に決定する。例えば、ユーザによっては、１種類の材料しか使用しない場合があり得る。また、ユーザによっては、毎回同じ機種の補綴物作製装置１を使用すること、または、毎回同じ作業領域を使用することがあり得る。従来では、同じ設定値を設定する場合であっても、各設定項目をユーザ自身が全て設定する必要があった。ユーザによっては、同じ設定値を設定する作業を行うことを煩わしく感じることがあり得る。また、各設定項目をユーザ自身が設定するため、設定作業に時間を要することがあった。
【００３６】
上述した課題を解決するため、本実施形態に係る切削データ作成装置３０では、同じ設定値を入力することが多い設定項目が複数ある場合、その複数の設定項目をまとめて設定する。そのことによって、ユーザが行う設定作業時間を短縮することができる。
【００３７】
次に、切削データ作成装置３０の構成について詳述する。図３は、切削データ作成装置３０のブロック図である。図３に示すように、切削データ作成装置３０は、表示装置４０と、入力装置５０と、作成支援装置６０とを備えている。
【００３８】
図４は、表示装置４０を示す概略図である。図５は、表示装置４０を示す概略図であり、画面４１を示す図である。図６は、表示装置４０を示す概略図であり、設定ダイアログボックス４２を示す図である。図６に示すように、表示装置４０は、上述した各設定項目である、ファイル名設定項目８１、ＳＴＬデータ設定項目８２、補綴物設定項目８３、材料設定項目８４、サイズ設定項目８５、ワーク領域設定項目８６、および切削ストラテジー設定項目８７を表示する装置である。図４に示すように、表示装置４０は、例えば、画面４１を備えている。ここでは、画面４１に表示されたボタン４１ａを押すことで、図５に示すように、切削データ作成装置３０を操作するための各種ボタン４２ａ、４４ａ、４５ａが画面４１に表示される。図６に示すように、ここでは、設定項目８１〜８７は、画面４１に表示される。表示装置４０に表示されるものは特に限定されない。ここでは、表示装置４０には、設定ダイアログボックス４２、コマンド作成ダイアログボックス４４（図７参照）、コマンド設定ダイアログボックス４５（図８参照）、および、プレビュー画像４６などが表示される。
【００３９】
設定ダイアログボックス４２は、ユーザが各設定項目８１〜８７を設定するものである。本実施形態では、表示装置４０の画面４１上に配置された設定ボタン４２ａ（図５参照）が押されることによって、設定ダイアログボックス４２が表示される。この設定ボタン４２ａは、例えば、ＧＵＩ（Ｇｒａｐｈｉｃａｌ  Ｕｓｅｒ  Ｉｎｔｅｒｆａｃｅ）によって画面４１上に作成された仮想的なボタンであるが、物理的なボタンであってもよい。ここで、設定ダイアログボックス４２において、各設定項目８１〜８７を設定する構成は特に限定されない。例えば、設定ダイアログボックス４２は、設定項目８１〜８７にそれぞれ対応したプルダウンメニュー８１ａ〜８７ａを有し、プルダウンメニュー８１ａ〜８７ａには、それぞれ設定項目８１〜８７の設定値の候補が保存されている。ユーザは、プルダウンメニュー８１ａ〜８７ａによって表示された設定値の中から各設定項目８１〜８７の設定値を選択する。なお、プルダウンメニュー８１ａ〜８７ａの何れかは、ユーザが設定値を入力するテキストボックスであってもよい。
【００４０】
図７は、コマンド作成ダイアログボックス４４を示す概念図である。図７に示すように、コマンド作成ダイアログボックス４４は、設定項目８１〜８７のうち、まとめて設定したい項目について、その設定項目の設定値に所定の設定値が登録されたコマンドを作成するものである。換言すると、コマンド作成ダイアログボックス４４は、設定項目８１〜８７のうちユーザ自身が設定することを省略したい項目について、その設定項目の設定値に所定の設定値が登録されたコマンドを作成するものである。ここでは、表示装置４０の画面４１上に配置されたコマンド作成ボタン４４ａ（図５参照）が押されることによって、コマンド作成ダイアログボックス４４が表示される。ここで、コマンド作成ボタン４４ａは、例えば、仮想的なボタンであるが、物理的なボタンであってもよい。コマンド作成ダイアログボックス４４には、設定値の設定を省略したい設定項目８１〜８７について、その設定項目８１〜８７の設定値を所定の設定値に設定するためのテキストボックス８１ｂ〜８７ｂなどが表示されている。ユーザは、テキストボックス８１ｂ〜８７ｂによって所定の設定値を設定することで、まとめて設定したい設定項目の設定値に所定の設定値が登録されたコマンドが作成される。なお、テキストボックス８１ｂ〜８７ｂの何れかは、プルダウンメニューであってもよい。このコマンドは、複数作成することが可能である。そして、ここでは、複数のコマンドをリスト化したコマンドリスト８８が作成される。コマンドリスト８８は、複数のコマンドを並べたリストであって、複数のコマンドを一覧化したリストである。
【００４１】
図８は、コマンド設定ダイアログボックス４５を示す概念図である。図８に示すように、コマンド設定ダイアログボックス４５には、コマンド作成ダイアログボックス４４において作成されたコマンドリスト８８が表示される。ここでは、表示装置４０の画面４１上に配置されたコマンド設定ボタン４５ａ（図５参照）が押されることによって、コマンド設定ダイアログボックス４５が表示される。ここで、コマンド設定ボタン４５ａは、例えば、仮想的なボタンであるが、物理的なボタンであってもよい。ユーザは、表示されたコマンドリスト８８の中から、設定したいコマンドを選択する。そして、選択されたコマンドに登録された設定項目の設定値が、図６に示すように、設定ダイアログボックス４２の該当する設定項目のプルダウンメニューに表示される。例えば、選択したコマンドが材料設定項目８４、サイズ設定項目８５、およびワーク領域設定項目８６の設定値が登録されたコマンドの場合、コマンドに登録された材料設定項目８４の設定値が設定ダイアログボックス４２のプルダウンメニュー８４ａに表示される。同様に、コマンドに登録されたサイズ設定項目８５の設定値がプルダウンメニュー８５ａに表示される。コマンドに登録されたワーク領域設定項目８６の設定値がプルダウンメニュー８６ａに表示される。
【００４２】
図６に示すように、プレビュー画像４６は、設定ダイアログボックス４２で設定されたＳＴＬデータ設定項目８２において設定されたＳＴＬデータをモデル化した画像４６ａであって、作製しようとする補綴物の画像４６ａを有している。このプレビュー画像４６には、サイズ設定項目８５で設定された材料のサイズが反映されていてもよい。すなわち、プレビュー画像４６には、設定されたＳＴＬデータをモデル化した補綴物の画像４６ａと、材料のサイズを示した画像（例えば、材料の輪郭線が示された画像）４６ｂとを組み合わせた画像であってもよい。本実施形態では、プレビュー画像４６は、設定ダイアログボックス４２に表示されるが、表示場所は特に限定されない。ユーザは、プレビュー画像４６を見ることで、どのような補綴物が作製されるかを確認することができる。
【００４３】
入力装置５０（図３参照）は、ユーザによって設定項目８１〜８７に関する操作が入力される装置である。入力装置５０は、特に限定されず、例えば、キーボードおよびマウスである。ユーザは、入力装置５０を操作することで、図６に示すように、表示装置４０の設定ダイアログボックス４２に表示された設定項目８１〜８７を設定することができる。本実施形態では、入力装置５０は、表示装置４０のコマンド作成ダイアログボックス４４（図７参照）およびコマンド設定ダイアログボックス４５（図８参照）に関する操作が行われる。ユーザは、入力装置５０を操作することで、コマンドを作成すること、および、コマンドリスト８８からコマンドを選択することができる。
【００４４】
図３に示すように、作成支援装置６０は、設定した補綴物のＳＴＬデータから補綴物を作成するための切削データの作成を支援する装置である。ここでは、作成支援装置６０は、補綴物作製装置１の制御部２０（図１参照）に接続されている。切削データ作成装置３０によって作成された切削データは、作成支援装置６０を通じて制御部２０に送信される。作成支援装置６０は、記憶部６２と、コマンド作成部６４と、表示部６６と、受信部６８と、判定部７０と、エラー表示部７２と、切削データ作成部７４とを備えている。なお、上述した各部は、ソフトウェアによって構成されていてもよいし、ハードウェアによって構成されていてもよい。
【００４５】
記憶部６２には、作製する補綴物のＳＴＬデータのファイルが記憶されている。このＳＴＬデータは、例えば、ユーザの操作によって、記憶媒体または他のコンピュータ（図示せず）から記憶部６２に読み込まれる。
【００４６】
コマンド作成部６４は、設定項目８１〜８７のうちユーザ自身が設定することを省略したい項目の設定値を登録したコマンドを作成する。例えば、設定項目８１〜８７のうち材料設定項目８４、サイズ設定項目８５、ワーク領域設定項目８６、および、切削ストラテジー設定項目８７に関する各設定値が、ユーザが設定作業を省略したい値とする。この場合、コマンド作成部６４は、材料設定項目８４、サイズ設定項目８５、ワーク領域設定項目８６、および、切削ストラテジー設定項目８７の各設定値が予め登録されたコマンドを作成する。なお、コマンドによってユーザの入力を省略する設定項目、および、設定項目の数は、特に限定されない。入力を省略する設定項目および設定項目の数は、ユーザが自由に決定することができる。また、コマンド作成部６４は、何れかの登録された設定値が異なるコマンドを複数作成することが可能である。コマンド作成部６４は、既に作成されたコマンドを編集したり削除したりすることが可能である。コマンド作成部６４は、複数のコマンドをリスト化したコマンドリスト８８（図７参照）を作成する。なお、作成したコマンドおよびコマンドリスト８８は、記憶部６２に記憶されている。
【００４７】
表示部６６は、設定項目８１〜８７（図６参照）の各設定値、および、コマンドリスト８８（図８参照）を表示装置４０の画面４１に表示する。詳しくは、表示部６６は、図６に示すように、表示装置４０の設定ダイアログボックス４２に設定項目８１〜８７の各設定値を表示する。表示部６６は、コマンド作成部６４によって作成されたコマンドリスト８８を表示装置４０のコマンド作成ダイアログボックス４４（図７参照）、および、コマンド設定ダイアログボックス４５（図８参照）に表示する。
【００４８】
受信部６８は、入力装置５０によって入力された設定項目８１〜８７の各設定値を受信する。受信部６８によって受信された設定項目８１〜８７の各設定値は、切削データを作成する際に使用される。ここでは、図６に示すように、例えば、ユーザによって入力装置５０を介して、仮想的なボタンである切削データ作成ボタン４９が押されると、受信部６８は、入力装置５０によって入力された設定項目８１〜８７に関する設定値であって、設定ダイアログボックス４２のプルダウンメニュー８１ａ〜８７ａに表示された各設定値を受信する。
【００４９】
判定部７０は、受信部６８によって受信されたＳＴＬデータ設定項目８２において設定されたＳＴＬデータが示す補綴物が、受信部６８によって受信されたサイズ設定項目８５において設定された材料のサイズに収まるか否かを判定する。判定部７０によって、ＳＴＬデータ設定項目８２において設定されたＳＴＬデータが示す補綴物が、サイズ設定項目８５において設定された材料のサイズに収まらないと判定された場合、エラー表示部７２は、表示装置４０にエラーメッセージを表示する。ここで、エラー表示部７２がエラーメッセージを表示する方法は特に限定されず、例えば、エラー表示部７２は、エラーメッセージが記載されたダイアログボックス（図示せず）を表示装置４０の画面４１に表示してもよい。
【００５０】
切削データ作成部７４は、受信部６８によって受信された設定項目８１〜８７に基づいて切削データを作成する。具体的には、切削データ作成部７４は、受信部６８によって受信された設定項目８１〜８７のうち、補綴物設定項目８３、材料設定項目８４、サイズ設定項目８５、ワーク領域設定項目８６、および切削ストラテジー設定項目８７から、ＳＴＬデータ設定項目８２において設定されたＳＴＬデータが示す補綴物を作製するための切削データを作成する。そして、切削データ作成部７４は、ファイル名設定項目８１において設定されたファイル名のファイルに作成した切削データを保存する。
【００５１】
次に、ユーザがコマンドを作成する手順について説明する。ここでは、コマンドとして、設定項目８１〜８７のうち、材料設定項目８４、サイズ設定項目８５、およびワーク領域設定項目８６の各設定値が登録されたコマンドを作成する。ここでは、表示装置４０の画面４１には、各ダイアログボックスは表示されておらず、コマンド作成ボタン４４ａなどのボタンが表示されている。まず、ユーザがコマンド作成ボタン４４ａ（図５参照）を押すことで、図７に示すようなコマンド作成ダイアログボックス４４が表示される。このとき、コマンド作成ダイアログボックス４４には、各設定項目８１〜８７の設定値を設定する画面が表示される。このとき、例えば、材料設定項目８４、サイズ設定項目８５、およびワーク領域設定項目８６について、コマンドに登録する設定値をテキストボックス８４ｂ、８５ｂ、８６ｂに入力装置５０を介して入力する。
【００５２】
その後、コマンド作成ダイアログボックス４４に表示された仮想的なボタンであるＯＫボタン４７をユーザが入力装置５０を介して押すと、受信部６８は、材料設定項目８４、サイズ設定項目８５、およびワーク領域設定項目８６の設定値を受信する。そして、コマンド作成部６４は、受信部６８によって受信された材料設定項目８４、サイズ設定項目８５、およびワーク領域設定項目８６の設定値が設定されたコマンドを作成し、作成したコマンドをコマンドリスト８８に追加する。表示部６６は、コマンドが追加されたコマンドリスト８８をコマンド作成ダイアログボックス４４に表示する。なお、コマンドが追加されたコマンドリスト８８は、コマンド設定ダイアログボックス４５が開かれた際、コマンド設定ダイアログボックス４５に表示される。
【００５３】
次に、ユーザが切削データ作成装置３０を使用して切削データを作成する手順について説明する。ここでは、表示装置４０の画面４１には、各ダイアログボックスは表示されておらず、設定ボタン４２ａ、コマンド設定ボタン４５ａなどのボタンが表示されている。まず、ユーザが入力装置５０を操作して設定ボタン４２ａ（図５参照）を押すことで、図６に示すような設定ダイアログボックス４２が画面４１に表示される。次に、ユーザが入力装置５０を操作してコマンド設定ボタン４５ａ（図５参照）を押すことで、図８に示すようなコマンド設定ダイアログボックス４５が表示装置４０の画面４１に表示される。なお、このとき、設定ダイアログボックス４２は画面４１に表示された状態であるが、コマンド設定ダイアログボックス４５が設定ダイアログボックス４２よりも前面に表示されている。ユーザは、コマンド設定ダイアログボックス４５に表示されたコマンドリスト８８から設定するコマンドを１つ選択し、入力装置５０を介してＯＫボタン４８を押す。このとき、設定ダイアログボックス４２がコマンド設定ダイアログボックス４５よりも前面に表示される。そして、選択されたコマンドに登録された設定値を受信部６８が受信し、表示部６６は、受信部６８によって受信されたコマンドに登録された設定値を、設定ダイアログボックス４２の該当する設定項目のプルダウンメニューに表示する。例えば、選択されたコマンドが、材料設定項目８４、サイズ設定項目８５、およびワーク領域設定項目８６の設定値が登録されたコマンドの場合、表示部６６は、設定ダイアログボックス４２において、材料設定項目８４、サイズ設定項目８５、およびワーク領域設定項目８６のプルダウンメニュー８４ａ、８５ａ、８６ａに、それぞれコマンドに登録された設定値を表示する。
【００５４】
その後、ユーザは、選択したコマンドに登録された設定項目の設定値以外の設定項目の設定値を、入力装置５０を介して入力する。例えば、選択したコマンドによって、材料設定項目８４、サイズ設定項目８５、およびワーク領域設定項目８６の設定値が設定されている場合、ファイル名設定項目８１、ＳＴＬデータ設定項目８２、補綴物設定項目８３および切削ストラテジー設定項目８７の設定値を入力装置５０を介して入力する。そして、ユーザが切削データ作成ボタン４９を押すことで、受信部６８は、設定ダイアログボックス４２に設定された設定項目８１〜８７の設定値を受信し、切削データ作成部７４によって切削データが作成される。
【００５５】
なお、切削データ作成部７４によって作成された切削データは、補綴物作製装置１の制御部２０（図１参照）に送信される。その後、補綴物作製装置１は、受信した切削データに沿って、ワーク領域に配置された材料を切削することによって、ＳＴＬデータ設定項目８２において設定されたＳＴＬデータが示す補綴物を作製する。
【００５６】
以上のように、本実施形態では、例えば、コマンド作成部６４によって、材料設定項目８４において材料の種類が所定の種類に設定され、サイズ設定項目８５において材料のサイズを所定のサイズに設定され、かつ、ワーク領域設定項目８６において作業領域を所定の領域に設定されたコマンドが作成されている。そして、図８に示すように、作成された複数のコマンドが並べられたコマンドリスト８８が表示装置４０のコマンド設定ダイアログボックス４５に表示されている。よって、ユーザが入力装置５０を操作してコマンドリスト８８の中から上記コマンドを選択することで、材料設定項目８４、サイズ設定項目８５およびワーク領域設定項目８６の各設定値が設定される。したがって、材料設定項目８４、サイズ設定項目８５、および、ワーク領域設定項目８６の各設定値を、ユーザが個々に設定する必要がないため、設定作業に要する時間を短縮することができる。材料設定項目８４、サイズ設定項目８５、および、ワーク領域設定項目８６の設定値が、作製する補綴物ごとに同じ値の場合、材料設定項目８４、サイズ設定項目８５、および、ワーク領域設定項目８６の各設定値を個々にユーザが設定しないため、煩わしさが緩和される。
【００５７】
例えば、コマンド作成部６４によって、材料設定項目８４において材料の種類が所定の種類に設定され、サイズ設定項目８５において材料のサイズを所定のサイズに設定され、かつ、切削ストラテジー設定項目８７において切削ストラテジーが所定の切削ストラテジーの種類に設定されたコマンドが作成されてもよい。この場合、ユーザが入力装置５０を操作してコマンドリスト８８の中から上記コマンドを設定することで、材料設定項目８４、サイズ設定項目８５および切削ストラテジー設定項目８７の各設定値が設定される。したがって、材料設定項目８４、サイズ設定項目８５および切削ストラテジー設定項目８７の各設定値を、ユーザが個々に設定する必要がないため、設定作業に要する時間を短縮することができる。
【００５８】
本実施形態では、設定項目は、図６に示すように、切削データ作成部７４によって作成された切削データを保存するファイル名を設定するファイル名設定項目８１を有する。このことによって、設定されたファイル名のファイルに切削データを保存することができる。
【００５９】
本実施形態では、ユーザが設定する設定項目は、補綴物の種類を設定する補綴物設定項目８３を有する。このことによって、設定された補綴物の種類を考慮して、切削データを作成することができる。
【００６０】
本実施形態では、判定部７０は、受信部６８によって受信されたＳＴＬデータ設定項目８２において設定されたＳＴＬデータが示す補綴物が、受信部６８によって受信されたサイズ設定項目８５において設定された材料のサイズに収まるか否かを判定する。エラー表示部７２は、判定部７０によってＳＴＬデータが示す補綴物が、材料のサイズに収まらないと判定された場合、表示装置４０にエラーメッセージを表示する。このことによって、ユーザは、表示装置４０に表示されたエラーメッセージを見ることで、ＳＴＬデータが示す補綴物が、設定した材料のサイズに収まらないことを確認することができる。
【００６１】
なお、上述したように、切削データ作成装置３０の記憶部６２、コマンド作成部６４、表示部６６、受信部６８、判定部７０、エラー表示部７２、および切削データ作成部７４は、ソフトウェアにより構成されていてもよい。すなわち、上記各部は、コンピュータプログラムがコンピュータに読み込まれることにより、当該コンピュータによって実現されるようになっていてもよい。本発明には、コンピュータを上記各部として機能させるためのコンピュータプログラムが含まれる。また、本発明には、当該コンピュータプログラムが記録されたコンピュータ読み取り可能な記録媒体が含まれる。
【符号の説明】
【００６２】
１  補綴物作製装置
３０  切削データ作成装置（補綴物切削データ作成装置）
４０  表示装置
５０  入力装置
６０  作成支援装置
６２  記憶部
６４  コマンド作成部
６６  表示部
６８  受信部
７０  判定部
７２  エラー表示部
７４  切削データ作成部
１００  補綴物作製システム
【図１】
0006775920.tif 000002
【図２】
0006775920.tif 000003
【図３】
0006775920.tif 000004
【図４】
0006775920.tif 000005
【図５】
0006775920.tif 000006
【図６】
0006775920.tif 000007
【図７】
0006775920.tif 000008
【図８】
0006775920.tif 000009